(57)【特許請求の範囲】
【請求項１】
疑似ワイヤとラベルスイッチド経路とを相互に関連付ける方法であって、
第１のラベルスイッチングルータから送信された予約要求に応答して第２のラベルスイッチングルータから前記第１のラベルスイッチングルータへ予約応答を返すことで、前記第１のラベルスイッチングルータから前記第２のラベルスイッチングルータへの第１のラベルスイッチド経路を設定するステップと、
前記第２のラベルスイッチングルータから送信された予約要求に応答して前記第１のラベルスイッチングルータから返された予約応答が前記第２のラベルスイッチングルータで受信されることで、前記第２のラベルスイッチングルータから前記第１のラベルスイッチングルータへの第２のラベルスイッチド経路を設定するステップと、
前記第１のラベルスイッチングルータから送信される第１のメッセージを前記第２のラベルスイッチングルータで受信するステップと、
第２のメッセージを前記第２のラベルスイッチングルータから前記第１のラベルスイッチングルータへ送信するステップとを有し、
前記第１のメッセージは、疑似ワイヤを識別する疑似ワイヤ識別子と、前記疑似ワイヤを実施する前記第１のラベルスイッチド経路を識別する第１のラベルスイッチド経路識別子とを含み、
前記第２のメッセージは、前記疑似ワイヤ識別子と、前記疑似ワイヤを実施する前記第２のラベルスイッチド経路を識別する第２のラベルスイッチド経路識別子とを含む方法。
【請求項２】
前記第１のメッセージは、第１のラベルマッピングメッセージを含み、
前記第２のメッセージは、第２のラベルマッピングメッセージを含む、請求項１記載の方法。
【請求項３】
前記第１のメッセージは、第１のラベル更新メッセージを含む、請求項１記載の方法。
【請求項４】
前記第２のラベルスイッチングルータによって、双方向転送検出を用いて前記第１のラベルスイッチド経路の欠陥を検出するステップを更に有する、請求項１記載の方法。
【請求項５】
前記第１のラベルスイッチド経路の欠陥を検出するステップと、
前記第２のラベルスイッチングルータから前記第１のラベルスイッチングルータへと前記第２のラベルスイッチド経路に沿って前記欠陥の通知を送信するステップとを更に有する、請求項１記載の方法。
【請求項６】
前記第１のラベルスイッチングルータからの１又はそれ以上の欠陥検出パケットであって、前記第１のラベルスイッチングルータから前記第１のラベルスイッチド経路に沿って送信される１又はそれ以上の欠陥検出パケットが前記第２のスイッチングルータで期待されるように受信されたかどうかを判断するステップと、
前記１又はそれ以上の欠陥検出パケットが期待されるように受信されなかった場合に前記第１のラベルスイッチド経路の欠陥を検出するステップとを更に有する、請求項１記載の方法。
【請求項７】
前記疑似ワイヤは、前記第１のラベルスイッチングルータと前記第２のラベルスイッチングルータとの間でデータトラフィック及び検出制御トラフィックをやり取りするよう動作する、請求項１記載の方法。
【請求項８】
疑似ワイヤとラベルスイッチド経路とを相互に関連付けるシステムであって、
第１のラベルスイッチングルータから送信される第１のメッセージを第２のラベルスイッチングルータで受信するよう動作する、第２のラベルスイッチングルータのインターフェースと、
第２のメッセージを生成するよう動作する１又はそれ以上の処理装置とを有し、
前記インターフェースは、更に、前記第１のラベルスイッチングルータから前記第２のラベルスイッチングルータへの第１のラベルスイッチド経路を設定するよう、前記第１のラベルスイッチングルータから送信された予約要求に応答して前記第２のラベルスイッチングルータから前記第１のラベルスイッチングルータへ予約応答を返すよう動作し、
前記インターフェースは、更に、前記第２のラベルスイッチングルータから前記第１のラベルスイッチングルータへの第２のラベルスイッチド経路を設定するよう、前記第２のラベルスイッチングルータから送信された予約要求に応答して前記第１のラベルスイッチングルータから返された予約応答を前記第２のラベルスイッチングルータで受信するよう動作し、
前記第１のメッセージは、疑似ワイヤを識別する疑似ワイヤ識別子と、前記疑似ワイヤを実施する前記第１のラベルスイッチド経路を識別する第１のラベルスイッチド経路識別子とを含み、
前記第２のメッセージは、前記疑似ワイヤ識別子と、前記疑似ワイヤを実施する前記第２のラベルスイッチド経路を識別する第２のラベルスイッチド経路識別子とを含み、
前記インターフェースは、更に、前記第２のメッセージを前記第１のラベルスイッチングルータへ送信するよう動作するシステム。
【請求項９】
コンピュータ読出可能な記録媒体で具体化され、疑似ワイヤとラベルスイッチド経路とを相互に関連付けるロジックであって、
第１のラベルスイッチングルータから送信された予約要求に応答して第２のラベルスイッチングルータから前記第１のラベルスイッチングルータへ予約応答を返すことで、前記第１のラベルスイッチングルータから前記第２のラベルスイッチングルータへの第１のラベルスイッチド経路を設定し、
前記第２のラベルスイッチングルータから送信された予約要求に応答して前記第１のラベルスイッチングルータから返された予約応答が前記第２のラベルスイッチングルータで受信されることで、前記第２のラベルスイッチングルータから前記第１のラベルスイッチングルータへの第２のラベルスイッチド経路を設定し、
前記第１のラベルスイッチングルータから送信される第１のメッセージを前記第２のラベルスイッチングルータで受信し、第２のメッセージを前記第２のラベルスイッチングルータから前記第１のラベルスイッチングルータへ送信する
よう動作し、
前記第１のメッセージは、疑似ワイヤを識別する疑似ワイヤ識別子と、前記疑似ワイヤを実施する前記第１のラベルスイッチド経路を識別する第１のラベルスイッチド経路識別子とを含み、
前記第２のメッセージは、前記疑似ワイヤ識別子と、前記疑似ワイヤを実施する前記第２のラベルスイッチド経路を識別する第２のラベルスイッチド経路識別子とを含むロジック。
【請求項１０】
疑似ワイヤとラベルスイッチド経路とを相互に関連付けるシステムであって、
第１のラベルスイッチングルータから送信された予約要求に応答して第２のラベルスイッチングルータから前記第１のラベルスイッチングルータへ予約応答を返すことで、前記第１のラベルスイッチングルータから前記第２のラベルスイッチングルータへの第１のラベルスイッチド経路を設定する手段と、
前記第２のラベルスイッチングルータから送信された予約要求に応答して前記第１のラベルスイッチングルータから返された予約応答が前記第２のラベルスイッチングルータで受信されることで、前記第２のラベルスイッチングルータから前記第１のラベルスイッチングルータへの第２のラベルスイッチド経路を設定する手段と、
前記第１のラベルスイッチングルータから送信される第１のメッセージを前記第２のラベルスイッチングルータで受信する手段と、
第２のメッセージを前記第２のラベルスイッチングルータから前記第１のラベルスイッチングルータへ送信する手段とを有し、
前記第１のメッセージは、疑似ワイヤを識別する疑似ワイヤ識別子と、前記疑似ワイヤを実施する前記第１のラベルスイッチド経路を識別する第１のラベルスイッチド経路識別子とを含み、
前記第２のメッセージは、前記疑似ワイヤ識別子と、前記疑似ワイヤを実施する前記第２のラベルスイッチド経路を識別する第２のラベルスイッチド経路識別子とを含むシステム。
【発明の詳細な説明】
【技術分野】
【０００１】
本発明は、概して、通信ネットワークの分野、より具体的には、疑似ワイヤのラベルスイッチド経路の相関に関する。
【背景技術】
【０００２】
疑似ワイヤ（ＰＷ（pseudowire））は、パケットスイッチドネットワーク（ＰＳＮ（Packet  Switched  Network））を介したネイティブサービスのエミュレーションである。疑似ワイヤは、ネイティブサービスを伝えるトランスペアレントワイヤの動作をエミュレートし、ネイティブサービスを使用するネットワークからＰＳＮを通して、そのネイティブサービスを使用する他のネットワークへパケットを伝送するために使用され得る。
【発明の開示】
【発明が解決しようとする課題】
【０００３】
本発明に従って、疑似ワイヤを使用する従来技術に関連した欠点及び問題は軽減又は削除され得る。
【課題を解決するための手段】
【０００４】
本発明の一実施例に従って、疑似ワイヤのラベルスイッチド経路を相互に関連付けるには、第１のメッセージが第２のラベルスイッチングルータで受信される。第１のメッセージは第１のラベルスイッチングルータから送信され、疑似ワイヤ識別子及び第１のラベルスイッチド経路識別子を含む。疑似ワイヤ識別子は疑似ワイヤを識別し、第１のラベルスイッチド経路識別子はその疑似ワイヤを実施する第１のラベルスイッチド経路を識別する。第２のメッセージは、第２のラベルスイッチングルータから第１のラベルスイッチングルータへ送信される。第２のメッセージは疑似ワイヤ識別子及び第２のラベルスイッチド経路識別子を含む。第２のラベルスイッチド経路識別子はその疑似ワイヤを実施する第２のラベルスイッチド経路を識別する。
【発明の効果】
【０００５】
本発明のある実施例は、１又はそれ以上の技術的効果を提供することができる。一実施例の技術的効果は、メッセージが、疑似ワイヤを実施する経路へ疑似ワイヤをマッピングする疑似ワイヤ−ラベルスイッチド経路（ＰＷ−ｔｏ−ＬＳＰ（pseudowire-to-label  switched  path））マッピングを含むことである。メッセージは、その疑似ワイヤを実施する経路のノードを通知するべく、疑似ワイヤのノードへ送信される。１つのノードが１つの経路での欠陥を検出する場合には、そのノードは、他の経路を用いて、欠陥通知を他のノードへ送信することができる。
【０００６】
本発明のある実施例は、上記の技術的効果を全く含まないか、あるいは、そのうちの幾つか若しくは全てを備えうる。１又は他の技術的効果は、容易に、本願の願書に添付された図面、明細書及び特許請求の範囲から、いわゆる当業者に明らかであろう。
【発明を実施するための最良の形態】
【０００７】
本発明並びにその特徴及び効果のより完全な理解のために、ここで、添付の図面に関連した以下の記載が参照される。
【０００８】
本発明の実施例及びその効果は、図面の図１乃至３を参照することによって、最もよく理解される。図中、同じ番号は、様々な図面の同一の又は対応する部分に使用される。
【０００９】
図１は、疑似ワイヤのラベルスイッチド経路を相互に関連付けるシステム１０を表す。実施例で、ノード２４を有する疑似ワイヤ１４は、例えばラベルスイッチド経路のような経路２０によって実施される。メッセージ３０は、疑似ワイヤ１４を経路２０へマッピングする疑似ワイヤ−ラベルスイッチド経路（ＰＷ−ｔｏ−ＬＳＰ）マッピングを含む。メッセージ３０は、疑似ワイヤ１４を実施する経路２０のノード２４を通知すべく、ノード２４へ送信される。ノード２４は、経路２０を用いて、例えば欠陥通知のような通知を他のノード２４へ送信することができる。
【００１０】
一実施例で、システム１０は、例えば光信号（例えば、同期トランスポート信号（ＳＴＳ））のような信号により情報をやり取りする。一例として、光信号は、毎秒１０、２０、４０又はそれ以上のデータレートを有することができる。情報は、声、データ、音、映像、マルチメディア、制御、信号伝送、及び／又は他の情報を含みうる。
【００１１】
表される実施例では、システム１０は、レイヤ１又はレイヤ２（レイヤ１／２）ネットワーク１６（ネットワーク１６ａ及び１６ｂ）と、パケットスイッチドネットワーク（ＰＳＮ）１８とを有する。レイヤ１／２ネットワーク１６は、例えば、非同期転送モード（ＡＴＭ（Asynchronous  Transfer  Mode））、フレームリレー、イーサネット（登録商標）、時分割マルチプレキシング（ＴＤＭ（Time-Division  Multiplexing））、同期光伝送網／同期デジタルヒエラルキー（ＳＯＮＥＴ（Synchronous  optical  networking）／ＳＤＨ（Synchronous  digital  hierarchy））、及び／又は他の適切なレイヤ１／２プロトコルのようなレイヤ１／２プロトコルを導入するネイティブサービスを使用する。レイヤ１／２ネットワーク１６ａ及び１６bは、クライアント２２ａ及び２２ｂを有する。クライアント２２は、レイヤ１／２プロトコルを用いて通信する。
【００１２】
パケットスイッチドネットワーク（ＰＳＮ）１８は、レイヤ３又は、例えば、マルチプロトコル・ラベル・スイッチング（ＭＰＬＳ）、インターネットプロトコル（ＩＰ）又はレイヤ２トンネリング・プロトコル（Ｌ２ＴＰ）のような、より高位のプロトコルを使用する。パケットスイッチドネットワーク１８は、ノード２４ａ、２４ｂ及び２４ｃを有する。ノード２４は、例えばＭＰＬＳルータ又はラベルスイッチングルータのような、いずれかの適切なネットワーク要素に相当する。
【００１３】
経路２０、すなわち、回路又はトンネルは、パケットをやり取りするノード２４の列を有する。経路２０は、ラベルスイッチド経路（ＬＳＰ）でありうる。パケットは、入口ノード２４ａから、０、１又はそれ以上の中間ノード２４ｂを通って、出口ノード２４ｃへと伝わる。表される例では、経路２０ａは、入口ノード２４ａから中間ノード２４ｂを通って出口ノード２４ｃへ至る。経路２０ｂは、入口ノード２４ｃから中間ノード２４ｂを通って出口ノード２４ａへ至る。経路識別子は経路２０を識別する。表される例では、経路識別子ＬＳＰ１は経路２０ａを識別し、経路識別子ＬＳＰ２は経路２０ｂを識別する。ノード２４は、例えば、疑似ワイヤ識別子及びラベルのような疑似ワイヤパラメータと、発信源識別子と、目的地識別子と、経路識別子とを管理することができる。
【００１４】
経路２０ａに沿ってパケットを送るために、入口ノード２４ａは、パケットへラベルを付し、そのパケットを、経路２０ａの転送エントリに従って次のホップノードへ送信する。中間ノード２４ｂは、ノード２４ａからのラベルを用いて、他の転送エントリを調べる。中間ノード２４ｂは、ノード２４ａからのラベルを新しいラベルに置き換え、そのパケットを、転送エントリに従って次のホップノードへ送信する。出口ノード２４ｃは、ノード２４ｂからのラベルを用いて、転送エントリを調べる。その転送エントリは、ノード２４ｃが出口ノードであることを示す。
【００１５】
疑似ワイヤ１４は、経路２０ａ及び２０ｂによって実施される。疑似ワイヤ１４は、パケットスイッチドネットワーク１８を介するレイヤ１／２サービスをエミュレートし、レイヤ１／２パケットがパケットスイッチドネットワーク１８を介してやり取りされることを可能にする。疑似ワイヤは、レイヤ１／２ワイヤのような働きをし、１のレイヤ１／２ネットワーク１６ａから他のレイヤ１／２ネットワーク１６ｂへパケットスイッチドネットワーク１８を介してレイヤ１／２パケットを転送するために使用され得る。
【００１６】
特定の疑似ワイヤ１４は、特定のクライアントへパケットを送るために使用され得る。例えば、疑似ワイヤ１４ａはクライアント２２ａの間で通信し、疑似ワイヤ１４ｂはクライアント２２ｂの間で通信する。
【００１７】
疑似ワイヤ識別子は特定の疑似ワイヤ１４を識別する。例えば、疑似ワイヤ識別子ＰＷ１は疑似ワイヤ１４ａを識別し、疑似ワイヤ識別子ＰＷ２は疑似ワイヤ１４ｂを識別する。疑似ワイヤラベルは、疑似ワイヤ１４の設定の間に特定の疑似ワイヤ１４へ割り当てられる。一実施例で、１のラベルＰＷＬ１は、１の方向における疑似ワイヤＰＷ１へ与えられ得、他のラベルＰＷＬ２は、他の方向における同一の疑似ワイヤＰＷ１へ与えられ得る。
【００１８】
メッセージ３０は、疑似ワイヤ１４に関する情報を経路２０のノード２４へ送る。表される実施例では、メッセージ３０は、疑似ワイヤ−ラベルスイッチド経路（ＰＷ−ｔｏ−ＬＳＰ）マッピング３４を含む。ＰＷ−ｔｏ−ＬＳＰマッピング３４は、疑似ワイヤ１４を実施する経路２０を示す。ＰＷ−ｔｏ−ＬＳＰマッピング３４は、疑似ワイヤ識別子３６と、疑似ワイヤラベル３８と、ラベルスイッチド経路識別子４２とを含む。
【００１９】
表される実施例では、ノード２４ａはメッセージ３０ａをノード２４ｃへ送信し、ノード２４ｃは、メッセージ３０ｂをノード２４ａへ送信する。ＰＷ−ｔｏ−ＬＳＰマッピング３４ａは、疑似ワイヤ１４ａを実施する経路２０ａのノード２４ｃを通知し、ＰＷ−ｔｏ−ＬＳＰマッピング３４ｂは、疑似ワイヤ１４ａを実施する経路２０ｂのノード２４ａを通知する。
【００２０】
具体的に、疑似ワイヤ識別子３６ａは、疑似ワイヤ１４ａを識別する疑似ワイヤ識別子ＰＷ１を含み、疑似ワイヤラベル３８ａは、１の方向での疑似ワイヤ１４ａを識別するラベルＰＷＬ１を含み、ラベルスイッチド経路識別子４２ａは、経路２０ａを識別する経路識別子ＬＳＰ１を含む。疑似ワイヤ識別子３６ｂは、疑似ワイヤ１４ａを識別する疑似ワイヤ識別子ＰＷ１を含み、疑似ワイヤラベル３８ｂは、他の方向での疑似ワイヤ１４ａを識別するラベルＰＷＬ２を含み、ラベルスイッチド経路識別子４２ｂは、経路２０ｂを識別する経路識別子ＬＳＰ２を含む。
【００２１】
メッセージ３０は、いずれかの適切なメッセージ、例えば、ラベル分配プロトコル（ＬＤＳ（Label  Distribution  Protocol））、疑似ワイヤ１４を設定するために使用されるラベルマッピングメッセージ、又は疑似ワイヤ１４を更新するために使用されるＬＤＰ通知メッセージを表す。ＰＷ−ｔｏ−ＬＳＰマッピング３４は、メッセージ３０のいずれかの適切な部分、例えば、タイプ−長さ−値（ＴＬＶ（type-length-value））エレメントにおいて通信され得る。
【００２２】
ＰＷ−ｔｏ−ＬＳＰマッピング３４は、入口ノード及び出口ノード２４ａ、２４ｃが、疑似ワイヤ１４を形成するために使用される経路２０を知ることを可能にする。代替的に、疑似ワイヤ１４の経路２０ａが機能しなくなる場合に、出口ノード２４ｃは、他の経路２０ｂを用いて入口ノード２４ａに通知することができる。他の経路２０ｂの使用は、経路２０ｂがＩＰ転送を必要としないので、より有効でありうる。
【００２３】
システム１０の構成要素は、インターフェース、ロジック、メモリ、及び／又は他の適切な要素を含みうる。インターフェースは、入力を受信し、出力を送信し、入力及び／又は出力を処理し、且つ／あるいは、他の適切な動作を実行する。インターフェースは、ハードウェア及び／又はソフトウェアを有することができる。
【００２４】
ロジックは、構成要素の動作を実行し、例えば、入力から出力を生成する命令を実行する。ロジックは、ハードウェア、ソフトウェア、及び／又は他のロジックを有することができ、コンピュータ読出可能な記録媒体として具体化され得る。例えば処理装置のような、あるロジックは、構成要素の動作を管理することができる。処理装置の例は、１若しくはそれ以上のコンピュータ、１若しくはそれ以上のマイクロプロセッサ、１若しくはそれ以上のアプリケーション、及び／又は他のロジックを含む。
【００２５】
メモリは情報を記憶する。メモリは、コンピュータメモリ（例えば、ランダムアクセスメモリ（ＲＡＭ）又は読出専用メモリ（ＲＯＭ））、大容量記憶媒体（例えば、ハードディスク）、取り外し可能な記憶媒体（例えば、コンパクトディスク（ＣＤ）又はデジタルビデオディスク（ＤＶＤ））、データベース及び／又はネットワーク記憶部（例えば、サーバ）、及び／又は他のコンピュータ読出可能な記録媒体を含みうる。
【００２６】
本発明の適用範囲を逸脱することなく、システム１０に対して変形、付加又は削除を行うことができる。ネットワークシステム１０の構成要素は、特定の必要性に従って一体とされても、あるいは別個にされても良い。更に、ネットワークシステム１０の動作は、より多い、より少ない、又は他の装置によっても行われ得る。加えて、ネットワークシステム１０の動作は、いずれかの適切なロジックを用いても行われ得る。本明細書中で用いられているように、“夫々”又は“各々”（each）は、セットの各部又はセットのサブセットの各部を表す。
【００２７】
図２は、図１のシステム１０の経路２０ａ及び２０ｂによって実施される疑似ワイヤ１４の例を表す。疑似ワイヤ１４は、データトラフィック５４及び双方向転送検出（ＢＦＤ（bidirectional  forwarding  detection））制御パケット５８を伝送する。双方向転送検出は、ラベルスイッチド経路２０の転送経路でのデータプレーン欠陥を検出する。経路２０ａのデータプレーン欠陥を検出するために、入口ノード２４ａは、１又はそれ以上の欠陥検出パケットを出口ノード２４ｃへ経路２０ａを介して送信する。欠陥検出パケットは、設定可能なレートで送信されるＢＦＤ制御パケットでありうる。
【００２８】
出口ノード２４ｃが期待されるようにパケットを受信しない場合に、経路２０ａは欠陥があると認定される。例えば、パケットが期待されるコンテンツを有さない場合、特定数のパケットが到達しない場合、及び／又は、パケットが遅い場合に、欠陥を示す予期しない事柄が生じうる。出口ノード２４ｃは、経路２０の欠陥が存在することを示す欠陥通知を経路２０ｂで送信する。
【００２９】
図３は、疑似ワイヤのラベルスイッチド経路を相互に関連付ける方法の一実施例を表す。一実施例に従って、当該方法はシステム１０によって実行され得る。
【００３０】
ステップ１１０乃至１２６は、例えば、リソース予約プロトコル（ＲＳＶＰ（Resource  Reservation  Protocol））に従う経路２０ａの設定について記載する。ノード２４ａは、ステップ１１０で、ノード２４ａからノード２４ｃへの経路２０ａの設定を開始する。ノード２４ａは、経路２０ａがノード２４ａ、ノード２４ｂ及びノード２４ｃを有することを決定する。ＢＦＤインスタンスが割り当てられる。ノード２４ａは、ステップ１１４で、ノード２４ｂへ予約要求を送信する。ノード２４ｂは、予約要求を処理し、ステップ１１８で、ノード２４ｃへ予約要求を転送する。
【００３１】
ノード２４ｃは、ノード２４ｃからノード２４ｂへのリンクに関しラベルＬ２を選択し、ステップ１２２での予約応答においてノード２４ｂへラベルＬ２を送信する。ノード２４ｂは、ノード２４ｂからノード２４ａへのリンクに関しラベルＬ１を選択し、ステップ１２６での予約応答においてノード２４ａへラベルＬ１を送信する。
【００３２】
ステップ１３０乃至１４６は、ノード２４ｃからノード２４ａへの経路２０ｂの設定について記載する。ノード２４ｃは、ステップ１３０で、ノード２４ｃからノード２４ａへの経路２０ｂの設定を開始する。ノード２４ｃは、経路２０ｂがノード２４ｃ、ノード２４ｂ及びノード２４ａを有することを決定する。ＢＦＤインスタンスが割り当てられる。ノード２４ｃは、ステップ１３４で、ノード２４ｂへ予約要求を送信する。ノード２４ｂは、予約要求を処理し、ステップ１３８で、ノード２４ａへ予約要求を転送する。
【００３３】
ノード２４ａは、ノード２４ａからノード２４ｂへのリンクに関しラベルＬ３を選択し、ステップ１４２での予約応答においてノード２４ｂへラベルＬ３を送信する。ノード２４ｂは、ノード２４ｂからノード２４ｃへのリンクに関しラベルＬ４を選択し、ステップ１４６での予約応答においてノード２４ｃへラベルＬ４を送信する。
【００３４】
ステップ１５０及び１５４は、例えばＬＤＰに従う疑似ワイヤＰＷ１の設定について記載する。かかる設定は、疑似ワイヤＰＷ１を実施する経路ＬＳＰ１及びＬＳＰ２のノード２４ａ及び２４ｃの通知を含む。この通知は、また、更新処理の間に行われ得る。ノード２４ａは、ステップ１５０で、ノード２４ｃへＰＷ−ｔｏ−ＬＳＰマッピング３４ａを送信する。ノード２４ａは、疑似ワイヤＰＷ１に関し経路ＬＳＰ１を選択する。表される実施例では、ＰＷ−ｔｏ−ＬＳＰマッピング３４ａは、疑似ワイヤ識別子ＰＷ１と、疑似ワイヤラベルＰＷＬ１と、ＬＳＰ識別子ＬＳＰ１とを含む。
【００３５】
ノード２４ｃは、ステップ１５４で、ノード２４ａへＰＷ−ｔｏ−ＬＳＰマッピング３４ｂを送信する。ノード２４ｃは、疑似ワイヤＰＷ１に関し経路ＬＳＰ２を選択する。ＰＷ−ｔｏ−ＬＳＰマッピング３４ｂは、疑似ワイヤ識別子ＰＷ１と、疑似ワイヤラベルＰＷＬ２と、ＬＳＰ識別子ＬＳＰ２とを含む。
【００３６】
ステップ１６０乃至１７２は、ノード２４ａと２４ｃとの間のデータのやり取りについて記載する。ノード２４ａは、ステップ１６０で、クライアントＣ１に対し指定されたデータパケットを送信する。このデータパケットは、疑似ワイヤラベルＰＷＬ１及びラベルＬ１を含む。ノード２４ｂは、ステップ１６４で、データパケットをノード２４ｃへ送信する。このデータパケットは、疑似ワイヤラベルＰＷＬ１及びラベルＬ２を含む。ノード２４ｃは、ラベルを取り除き、パケットをクライアントＣ１へ転送する。ノード２４ｃは、ステップ１６８で、データパケットをノード２４ｂへ送信し、ノード２４ｂは、ステップ１７２で、そのデータパケットをノード２４ａへ送信する。
【００３７】
ステップ１７４乃至１８８は、双方向転送検出の実行について記載する。ＢＦＤインスタンスは、ステップ１７４で、ＢＦＤ検出パケット及び欠陥通知が経路２０ａ及び２０ｂを介して伝わることを可能にする送信及び受信ラベルを有して設定される。
【００３８】
ノード２４ａは、ステップ１８０及び１８２で、１又はそれ以上のＢＦＤ検出パケットをノード２４ｃへと経路２０ａに沿って送信する。ノード２４ｃは、ステップ１８４で、欠陥を検出する。ノード２４ｃは、ステップ１８６及び１８８で、経路２０ｂに沿ってＢＦＤ欠陥通知を送信する。この欠陥通知は、経路２０ａの欠陥が検出されたことを示す。
【００３９】
本発明のある実施例は、１又はそれ以上の効果を提供することができる。一実施例の技術的効果は、メッセージが、疑似ワイヤを実施する経路へ疑似ワイヤをマッピングする疑似ワイヤ−ラベルスイッチド経路（ＰＷ−ｔｏ−ＬＳＰ）マッピングを含むことでありうる。メッセージは、疑似ワイヤを実施する経路のノードを通知すべく、疑似ワイヤのノードへ送信される。ノードは、経路を用いて、例えば欠陥通知のような通知を他のノードへ送信することができる。
【００４０】
本開示は、特定の実施例及び概して関連する方法に関して記載されてきたが、かかる実施例及び方法の代替案及び置換は当業者には明らかであろう。従って、例となる実施形態に関する上記の記載は、本開示を限定しない。他の変更、代替、及び置換は、また、特許請求の範囲によって定義される本開示の精神及び適用範囲を逸脱することなく可能である。
【００４１】
以上の実施形態に関し、更に以下の付記を開示する。
【００４２】
（付記１）
疑似ワイヤの複数のラベルスイッチド経路を相互に関連付ける方法であって、
第１のラベルスイッチングルータから送信される第１のメッセージを第２のラベルスイッチングルータで受信するステップと、
第２のメッセージを前記第２のラベルスイッチングルータから前記第１のラベルスイッチングルータへ送信するステップとを有し、
前記第１のメッセージは、疑似ワイヤを識別する疑似ワイヤ識別子と、前記疑似ワイヤを実施する第１のラベルスイッチド経路を識別する第１のラベルスイッチド経路識別子とを含み、
前記第２のメッセージは、前記疑似ワイヤ識別子と、前記疑似ワイヤを実施する第２のラベルスイッチド経路を識別する第２のラベルスイッチド経路識別子とを含む方法。
【００４３】
（付記２）
前記第１のメッセージは、第１のラベルマッピングメッセージを含み、
前記第２のメッセージは、第２のラベルマッピングメッセージを含む、付記１記載の方法。
【００４４】
（付記３）
前記第１のメッセージは、第１のラベル更新メッセージを含む、付記１記載の方法。
【００４５】
（付記４）
前記第２のラベルスイッチングルータによって、双方向転送検出を用いて前記第１のラベルスイッチド経路の欠陥を検出するステップを更に有する、付記１記載の方法。
【００４６】
（付記５）
前記第１のラベルスイッチド経路の欠陥を検出するステップと、
前記第２のラベルスイッチングルータから前記第１のラベルスイッチングルータへと前記第２のラベルスイッチド経路に沿って前記欠陥の通知を送信するステップとを更に有する、付記１記載の方法。
【００４７】
（付記６）
前記第１のラベルスイッチングルータからの１又はそれ以上の欠陥検出パケットであって、前記第１のラベルスイッチングルータから前記第１のラベルスイッチド経路に沿って送信される１又はそれ以上の欠陥検出パケットを予想するステップと、
前記予想に従って前記第１のラベルスイッチド経路の欠陥を検出するステップとを更に有する、付記１記載の方法。
【００４８】
（付記７）
前記疑似ワイヤは、前記第１のラベルスイッチングルータと前記第２のラベルスイッチングルータとの間でデータトラフィック及び検出制御トラフィックをやり取りするよう動作する、付記１記載の方法。
【００４９】
（付記８）
疑似ワイヤの複数のラベルスイッチド経路を相互に関連付けるシステムであって、
第１のラベルスイッチングルータから送信される第１のメッセージを第２のラベルスイッチングルータで受信するよう動作する、第２のラベルスイッチングルータのインターフェースと、
第２のメッセージを生成するよう動作する１又はそれ以上の処理装置とを有し、
前記第１のメッセージは、疑似ワイヤを識別する疑似ワイヤ識別子と、前記疑似ワイヤを実施する第１のラベルスイッチド経路を識別する第１のラベルスイッチド経路識別子とを含み、
前記第２のメッセージは、前記疑似ワイヤ識別子と、前記疑似ワイヤを実施する第２のラベルスイッチド経路を識別する第２のラベルスイッチド経路識別子とを含み、
前記インターフェースは、更に、前記第２のメッセージを前記第１のラベルスイッチングルータへ送信するよう動作するシステム。
【００５０】
（付記９）
前記第１のメッセージは、第１のラベルマッピングメッセージを含み、
前記第２のメッセージは、第２のラベルマッピングメッセージを含む、付記８記載のシステム。
【００５１】
（付記１０）
前記第１のメッセージは、第１のラベル更新メッセージを含む、付記８記載のシステム。
【００５２】
（付記１１）
前記１又はそれ以上の処理装置は、更に、双方向転送検出を用いて前記第１のラベルスイッチド経路の欠陥を検出するよう動作する、付記８記載のシステム。
【００５３】
（付記１２）
前記１又はそれ以上の処理装置は、更に、前記第１のラベルスイッチド経路の欠陥を検出し、前記第２のラベルスイッチド経路に沿って前記第１のラベルスイッチングルータへ前記欠陥の通知を送信するよう動作する、付記８記載のシステム。
【００５４】
（付記１３）
前記１又はそれ以上の処理装置は、更に、前記第１のラベルスイッチングルータからの１又はそれ以上の欠陥検出パケットであって、前記第１のラベルスイッチングルータから前記第１のラベルスイッチド経路に沿って送信される１又はそれ以上の欠陥検出パケットを予想し、前記予想に従って前記第１のラベルスイッチド経路の欠陥を検出するよう動作する、付記８記載のシステム。
【００５５】
（付記１４）
前記疑似ワイヤは、前記第１のラベルスイッチングルータと前記第２のラベルスイッチングルータとの間でデータトラフィック及び検出制御トラフィックをやり取りするよう動作する、付記８記載のシステム。
【００５６】
（付記１５）
コンピュータ読出可能な記録媒体で具体化され、疑似ワイヤの複数のラベルスイッチド経路を相互に関連付けるロジックであって、
第１のラベルスイッチングルータから送信される第１のメッセージを第２のラベルスイッチングルータで受信し、第２のメッセージを前記第２のラベルスイッチングルータから前記第１のラベルスイッチングルータへ送信するよう動作し、
前記第１のメッセージは、疑似ワイヤを識別する疑似ワイヤ識別子と、前記疑似ワイヤを実施する第１のラベルスイッチド経路を識別する第１のラベルスイッチド経路識別子とを含み、
前記第２のメッセージは、前記疑似ワイヤ識別子と、前記疑似ワイヤを実施する第２のラベルスイッチド経路を識別する第２のラベルスイッチド経路識別子とを含むロジック。
【００５７】
（付記１６）
前記第１のメッセージは、第１のラベルマッピングメッセージを含み、
前記第２のメッセージは、第２のラベルマッピングメッセージを含む、付記１５記載のロジック。
【００５８】
（付記１７）
前記第１のメッセージは、第１のラベル更新メッセージを含む、付記１５記載のロジック。
【００５９】
（付記１８）
前記第１のラベルスイッチド経路の欠陥を検出するステップと、
前記第２のラベルスイッチングルータから前記第１のラベルスイッチングルータへと前記第２のラベルスイッチド経路に沿って前記欠陥の通知を送信するステップとを更に有する、付記１５記載のロジック。
【００６０】
（付記１９）
前記疑似ワイヤは、前記第１のラベルスイッチングルータと前記第２のラベルスイッチングルータとの間でデータトラフィック及び検出制御トラフィックをやり取りするよう動作する、付記１５記載のロジック。
【００６１】
（付記２０）
疑似ワイヤの複数のラベルスイッチド経路を相互に関連付けるシステムであって、
第１のラベルスイッチングルータから送信される第１のメッセージを第２のラベルスイッチングルータで受信する手段と、
第２のメッセージを前記第２のラベルスイッチングルータから前記第１のラベルスイッチングルータへ送信する手段とを有し、
前記第１のメッセージは、疑似ワイヤを識別する疑似ワイヤ識別子と、前記疑似ワイヤを実施する第１のラベルスイッチド経路を識別する第１のラベルスイッチド経路識別子とを含み、
前記第２のメッセージは、前記疑似ワイヤ識別子と、前記疑似ワイヤを実施する第２のラベルスイッチド経路を識別する第２のラベルスイッチド経路識別子とを含むシステム。
【図面の簡単な説明】
【００６２】
【図１】疑似ワイヤのラベルスイッチド経路を相互に関連付けるシステムの例を表す。
【図２】図１のシステムの経路によって実施される疑似ワイヤの例を表す。
【図３】疑似ワイヤのラベルスイッチド経路を相互に関連付ける方法の例を表す。
【符号の説明】
【００６３】
１０  ネットワークシステム
１４  疑似ワイヤ
１６  レイヤ１／２ネットワーク
１８  パケットスイッチドネットワーク（ＰＳＮ）
２０  ラベルスイッチド経路
２２  クライアント
２４  ノード
３０  メッセージ
３４  疑似ワイヤ−ラベルスイッチド経路（ＰＷ−ｔｏ−ＬＳＰ）マッピング
３６  疑似ワイヤ識別子
３８  疑似ワイヤラベル３８
４２  ラベルスイッチド経路識別子
５４  データトラフィック
５８  双方向転送検出（ＢＦＤ）制御パケット
【図１】
0005062127.tif 000002
【図２】
0005062127.tif 000003
【図３】
0005062127.tif 000004